(57)【特許請求の範囲】
【請求項１】
複数の科目のそれぞれに対応づけて、前記複数の科目のそれぞれに対応する会計情報を格納する会計情報格納部と、
前記会計情報格納部から、輸送運行に関連する科目と、前記輸送運行に関連する科目に対応づけられている会計情報とを抽出する抽出部と、
前記輸送運行に関連する科目に当該科目の数量情報を対応づける数量追加部と、
前記輸送運行に関連する科目に対応する前記会計情報を、当該科目に対応づけられた前記数量情報で除すことにより、前記輸送運行に関連する科目の単位数量当たりの会計情報である単位会計情報を算出する単位会計情報算出部と、
前記単位会計情報の合計から単位数量当たりの総費用を算出する合算部と、
輸送機械の運用を識別する運用識別子に対応づけて、前記輸送機械の移動距離を格納する運行実績格納部と、
前記運行実績格納部が格納している前記移動距離の合計から総移動距離を算出し、前記総移動距離を前記運用識別子の総数で除すことにより単位数量あたりの単位移動距離を算出する移動距離算出部と、
前記総費用を前記単位移動距離で除すことにより、単位距離当たりに要する支出を算出する支出算出部と、
前記輸送機械の運行計画、輸送機械運用計画、又は乗務員運用計画を示すダイヤグラムにおける前記輸送機械の運用、及び前記運用に含まれる複数の運行ごとに、前記輸送機械の運用及び前記複数の運行において予定される走行予定距離に前記単位距離当たりに要する支出を乗じて算出される予測コストを算出する予測コスト算出部と、
前記ダイヤグラムと、前記ダイヤグラムにおける運用の予測コストを表示する第一表示領域と、前記ダイヤグラムにおける運用に含まれる複数の運行ごとの予測コストを表示する第二表示領域と、を有する出力画面を出力する出力部と
を備えるダイヤ作成システム。
【請求項２】
請求項１に記載のダイヤ作成システムにおいて、
前記輸送機械の運行計画、前記輸送機械運用計画、又は前記乗務員運用計画を示すダイヤグラムを作成するダイヤグラム作成部と、
前記ダイヤグラム作成部が作成した複数のダイヤグラムを格納するダイヤグラム格納部とを更に備え、
前記予測コスト算出部は、前記ダイヤグラム格納部から選択されたダイヤグラムに対し、前記予測コストを算出するダイヤ作成システム。
【請求項３】
請求項２に記載のダイヤ作成システムにおいて、
前記出力部は、前記予測コスト及び前記ダイヤグラムを表示する表示装置、又は所定の媒体に印刷する印刷装置であるダイヤ作成システム。
【請求項４】
請求項１〜３のいずれか１項に記載のダイヤ作成システムにおいて、
前記ダイヤグラムは、山ダイヤ式、棒ダイヤ形式、若しくは帳票形式のダイヤグラムであるダイヤ作成システム。
【請求項５】
請求項１〜４のいずれか１項に記載のダイヤ作成システムにおいて、
前記会計情報格納部は、前記会計情報を会計年度ごとに格納するダイヤ作成システム。
【請求項６】
請求項１〜５のいずれか１項に記載のダイヤ作成システムにおいて、
前記数量情報は、前記輸送機械の台数であるダイヤ作成システム。
【請求項７】
複数の科目のそれぞれに対応づけて、前記複数の科目のそれぞれに対応する会計情報を格納する会計情報格納部から、輸送運行に関連する科目と、前記輸送運行に関連する科目に対応づけられている会計情報とを抽出する抽出段階と、
前記輸送運行に関連する科目に当該科目の数量情報を対応づける数量追加段階と、
前記輸送運行に関連する科目に対応する前記会計情報を、当該科目に対応づけられた前記数量情報で除すことにより、前記輸送運行に関連する科目の単位数量当たりの会計情報である単位会計情報を算出する単位会計情報算出段階と、
前記単位会計情報の合計から単位数量当たりの総費用を算出する合算段階と、
輸送機械の運用を識別する運用識別子に対応づけて、前記輸送機械の移動距離を格納する運行実績格納部が格納している前記移動距離の合計から総移動距離を算出し、前記総移動距離を前記運用識別子の総数で除すことにより単位数量あたりの単位移動距離を算出する移動距離算出段階と、
前記総費用を前記単位移動距離で除すことにより、単位距離当たりに要する支出を算出する支出算出段階と、
前記輸送機械の運行計画、輸送機械運用計画、又は乗務員運用計画を示すダイヤグラムにおける前記輸送機械の運用、及び前記運用に含まれる複数の運行ごとに、前記輸送機械の運用及び前記複数の運行において予定される走行予定距離に前記単位距離当たりに要する支出を乗じて算出される予測コストを算出する予測コスト算出段階と、
前記ダイヤグラムと、前記ダイヤグラムにおける運用の予測コストを表示する第一表示領域と、前記ダイヤグラムにおける運用に含まれる複数の運行ごとの予測コストを表示する第二表示領域と、を有する出力画面を出力する出力段階と
を備えるダイヤ作成方法。
【請求項８】
ダイヤ作成システム用プログラムであって、
コンピュータに、
複数の科目のそれぞれに対応づけて、前記複数の科目のそれぞれに対応する会計情報を格納する会計情報格納部から、輸送運行に関連する科目と、前記輸送運行に関連する科目に対応づけられている会計情報とを抽出する抽出機能と、
前記輸送運行に関連する科目に当該科目の数量情報を対応づける数量追加機能と、
前記輸送運行に関連する科目に対応する前記会計情報を、当該科目に対応づけられた前記数量情報で除すことにより、前記輸送運行に関連する科目の単位数量当たりの会計情報である単位会計情報を算出する単位会計情報算出機能と、
前記単位会計情報の合計から単位数量当たりの総費用を算出する合算機能と、
輸送機械の運用を識別する運用識別子に対応づけて、前記輸送機械の移動距離を格納する運行実績格納部が格納している前記移動距離の合計から総移動距離を算出し、前記総移動距離を前記運用識別子の総数で除すことにより単位数量あたりの単位移動距離を算出する移動距離算出機能と、
前記総費用を前記単位移動距離で除すことにより、単位距離当たりに要する支出を算出する支出算出機能と、
前記輸送機械の運行計画、輸送機械運用計画、又は乗務員運用計画を示すダイヤグラムにおける前記輸送機械の運用、及び前記運用に含まれる複数の運行ごとに、前記輸送機械の運用及び前記複数の運行において予定される走行予定距離に前記単位距離当たりに要する支出を乗じて算出される予測コストを算出する予測コスト算出機能と、
前記ダイヤグラムと、前記ダイヤグラムにおける運用の予測コストを表示する第一表示領域と、前記ダイヤグラムにおける運用に含まれる複数の運行ごとの予測コストを表示する第二表示領域と、を有する出力画面を出力する出力機能と
を実現させるダイヤ作成システム用プログラム。
【発明の詳細な説明】
【技術分野】
【０００１】
本発明は、ダイヤ作成システム、ダイヤ作成方法、及びダイヤ作成システム用プログラムに関する。
【背景技術】
【０００２】
従来、特定のサービスレベルのサービスを提供したときの基準需要を評価した後、サービスレベルの変動によるバス利用の需要の変動を予測するための需要曲線を求め、様々なサービスレベルごとに求められた需要曲線を利用してバス利用の需要を評価すると共に、そのサービスレベルを実現するための投入資源をスケジュール運行及びデマンド運行それぞれの場合について評価した後、コスト対効果を評価する車両運行システム評価方法が知られている（例えば、特許文献１参照。）。特許文献１に記載の車両運行システム評価方法によれば、車両運行システムのコスト対効果を評価できる。
【先行技術文献】
【特許文献】
【０００３】
【特許文献１】特開２００３−３１７１９２号公報
【発明の概要】
【発明が解決しようとする課題】
【０００４】
しかし、特許文献１に記載されているような車両運行システム評価方法においては、実際の会計情報に基づいてコスト計算をしていないので、具体的な運行に関連するコストを算出することはできない。したがって、特許文献１に記載されているような車両運行システム評価方法においては、所定のダイヤグラムを参照した場合に当該ダイヤグラムにおけるコストがどの程度か把握することができない。
【０００５】
そこで、本発明の目的は、運行コストをダイヤグラムと共に出力するダイヤ作成システム、ダイヤ作成方法、及びダイヤ作成システム用プログラムを提供することにある。
【課題を解決するための手段】
【０００６】
本願は、上記課題の少なくとも一部を解決する手段を複数含んでいるが、その例を挙げるならば、以下のとおりである。上記課題を解決すべく、本発明は、複数の科目のそれぞれに対応づけて、複数の科目のそれぞれに対応する会計情報を格納する会計情報格納部と、会計情報格納部から、輸送運行に関連する科目と、輸送運行に関連する科目に対応づけられている会計情報とを抽出する抽出部と、輸送運行に関連する科目に当該科目の数量情報を対応づける数量追加部と、輸送運行に関連する科目に対応する会計情報を、当該科目に対応づけられた数量情報で除すことにより、輸送運行に関連する科目の単位数量当たりの会計情報である単位会計情報を算出する単位会計情報算出部と、単位会計情報の合計から単位数量当たりの総費用を算出する合算部と、輸送機械の運用を識別する運用識別子に対応づけて、輸送機械の移動距離を格納する運行実績格納部と、運行実績格納部が格納している移動距離の合計から総移動距離を算出し、総移動距離を運用識別子の総数で除すことにより単位数量あたりの単位移動距離を算出する移動距離算出部と、総費用を単位移動距離で除すことにより、単位距離当たりに要する支出を算出する支出算出部と、輸送機械の運行計画、輸送機械運用計画、又は乗務員運用計画を示すダイヤグラムにおける輸送機械の運用、及び運用に含まれる複数の運行ごとに、輸送機械の運用及び複数の運行において予定される走行予定距離に単位距離当たりに要する支出を乗じて算出される予測コストを算出する予測コスト算出部と、ダイヤグラムと、ダイヤグラムにおける運用の予測コストを表示する第一表示領域と、ダイヤグラムにおける運用に含まれる複数の運行ごとの予測コストを表示する第二表示領域と、を有する出力画面を出力する出力部とを備えるダイヤ作成システムが提供される。
【０００７】
また、上記ダイヤ作成システムにおいて、輸送機械の運行計画、輸送機械運用計画、又は乗務員運用計画を示すダイヤグラムを作成するダイヤグラム作成部と、ダイヤグラム作成部が作成した複数のダイヤグラムを格納するダイヤグラム格納部とを更に備え、予測コスト算出部は、ダイヤグラム格納部から選択されたダイヤグラムに対し、予測コストを算出することもできる。
【０００８】
また、上記ダイヤ作成システムにおいて、出力部は、予測コスト及びダイヤグラムを表示する表示装置、又は所定の媒体に印刷する印刷装置であってもよい。
【０００９】
また、上記ダイヤ作成システムにおいて、ダイヤグラムは、山ダイヤ式、棒ダイヤ形式、若しくは帳票形式のダイヤグラムであってもよい。
【００１０】
また、上記ダイヤ作成システムにおいて、会計情報格納部は、会計情報を会計年度ごとに格納することもできる。
【００１１】
また、上記ダイヤ作成システムにおいて、数量情報は、輸送機械の台数であってもよい。
【００１２】
また、上記課題を解決すべく、本発明は、複数の科目に対応づけて複数の科目のそれぞれに対応する会計情報を格納する会計情報格納部と、会計情報格納部から、輸送運行に関連する科目と当該科目に対応づけられている会計情報とを抽出する抽出部と、輸送運行に関連する科目に当該科目の数量情報を対応づける数量追加部と、輸送運行に関連する科目に対応する会計情報を、当該科目に対応づけられた数量情報で除すことにより、輸送運行に関連する科目の単位数量当たりの会計情報である単位会計情報を算出する単位会計情報算出部と、単位会計情報を合算し、単位数量当たりの総費用を算出する合算部と、輸送機械の運用を識別する運用識別子に対応づけて、輸送機械の移動距離を格納する運行実績格納部と、移動距離を合算して総移動距離を算出し、総移動距離を運用識別子の総数で除すことにより単位数量あたりの単位移動距離を算出する移動距離算出部と、総費用を単位移動距離で除すことにより、単位距離当たりに要する支出を算出する支出算出部とを備える会計装置が提供される。
【００１３】
また、上記課題を解決すべく、本発明は、複数の科目のそれぞれに対応づけて、複数の科目のそれぞれに対応する会計情報を格納する会計情報格納部から、輸送運行に関連する科目と、輸送運行に関連する科目に対応づけられている会計情報とを抽出する抽出段階と、輸送運行に関連する科目に当該科目の数量情報を対応づける数量追加段階と、輸送運行に関連する科目に対応する会計情報を、当該科目に対応づけられた数量情報で除すことにより、輸送運行に関連する科目の単位数量当たりの会計情報である単位会計情報を算出する単位会計情報算出段階と、単位会計情報の合計から単位数量当たりの総費用を算出する合算段階と、輸送機械の運用を識別する運用識別子に対応づけて、輸送機械の移動距離を格納する運行実績格納部が格納している移動距離の合計から総移動距離を算出し、総移動距離を運用識別子の総数で除すことにより単位数量あたりの単位移動距離を算出する移動距離算出段階と、総費用を単位移動距離で除すことにより、単位距離当たりに要する支出を算出する支出算出段階と、輸送機械の運行計画、輸送機械運用計画、又は乗務員運用計画を示すダイヤグラムにおける輸送機械の運用、及び運用に含まれる複数の運行ごとに、輸送機械の運用及び複数の運行において予定される走行予定距離に単位距離当たりに要する支出を乗じて算出される予測コストを算出する予測コスト算出段階と、ダイヤグラムと、ダイヤグラムにおける運用の予測コストを表示する第一表示領域と、ダイヤグラムにおける運用に含まれる複数の運行ごとの予測コストを表示する第二表示領域と、を有する出力画面を出力する出力段階とを備えるダイヤ作成方法が提供される。
【００１４】
また、上記課題を解決すべく、本発明は、ダイヤ作成システム用プログラムであって、コンピュータに、複数の科目のそれぞれに対応づけて、複数の科目のそれぞれに対応する会計情報を格納する会計情報格納部から、輸送運行に関連する科目と、輸送運行に関連する科目に対応づけられている会計情報とを抽出する抽出機能と、輸送運行に関連する科目に当該科目の数量情報を対応づける数量追加機能と、輸送運行に関連する科目に対応する会計情報を、当該科目に対応づけられた数量情報で除すことにより、輸送運行に関連する科目の単位数量当たりの会計情報である単位会計情報を算出する単位会計情報算出機能と、単位会計情報の合計から単位数量当たりの総費用を算出する合算機能と、輸送機械の運用を識別する運用識別子に対応づけて、輸送機械の移動距離を格納する運行実績格納部が格納している移動距離の合計から総移動距離を算出し、総移動距離を運用識別子の総数で除すことにより単位数量あたりの単位移動距離を算出する移動距離算出機能と、総費用を単位移動距離で除すことにより、単位距離当たりに要する支出を算出する支出算出機能と、輸送機械の運行計画、輸送機械運用計画、又は乗務員運用計画を示すダイヤグラムにおける輸送機械の運用、及び運用に含まれる複数の運行ごとに、輸送機械の運用及び複数の運行において予定される走行予定距離に単位距離当たりに要する支出を乗じて算出される予測コストを算出する予測コスト算出機能と、ダイヤグラムと、ダイヤグラムにおける運用の予測コストを表示する第一表示領域と、ダイヤグラムにおける運用に含まれる複数の運行ごとの予測コストを表示する第二表示領域と、を有する出力画面を出力する出力機能とを実現させるダイヤ作成システム用プログラムが提供される。
【発明の効果】
【００１５】
本発明に係るダイヤ作成システム、ダイヤ作成方法、及びダイヤ作成システム用プログラムによれば、運行コストをダイヤグラムと共に出力するダイヤ作成システム、ダイヤ作成方法、及びダイヤ作成システム用プログラムを提供できる。
【００１６】
上記した以外の課題、構成及び効果は、以下の実施形態の説明により明らかにされる。
【図面の簡単な説明】
【００１７】
【図１】本発明の実施の形態に係るダイヤ作成システムによる出力画面の概要図である。
【図２】本発明の実施の形態に係るダイヤ作成システムによる出力画面の概要図である。
【図３】本発明の実施の形態に係るダイヤ作成システムによる出力画面の概要図である。
【図４】本発明の実施の形態に係るダイヤ作成システムの機能構成ブロック図である。
【図５】本発明の実施の形態に係る会計装置の機能構成ブロック図である。
【図６】本発明の実施の形態に係るダイヤグラム作成装置の機能構成ブロック図である。
【図７】本発明の実施の形態に係る会計情報格納部のデータ構成図である。
【図８】本発明の実施の形態に係る数量追加部が数量情報を追加した結果の図である。
【図９】本発明の実施の形態に係る運行実績格納部のデータ構成図である。
【図１０】本発明の実施の形態に係るダイヤ作成システムにおける処理のフロー図である。
【図１１】本発明の実施の形態に係るダイヤ作成システムのハードウェア構成図である。
【発明を実施するための形態】
【００１８】
［実施の形態］
図１〜図３は、本発明の実施の形態に係るダイヤ作成システムによる出力画面の概要の一例を示す。具体的に図１は、本発明の実施の形態に係るダイヤ作成システムによる山ダイヤ形式のダイヤグラムの出力画面の概要の一例を示し、図２は、本発明の実施の形態に係るダイヤ作成システムによる棒ダイヤ形式のダイヤグラムの出力画面の概要の一例を示し、図３は、本発明の実施の形態に係るダイヤ作成システムによる帳票形式のダイヤグラムの出力画面の概要の一例を示す。
【００１９】
（ダイヤ作成システム１の概要）
本実施の形態に係るダイヤ作成システム１は、交通機関の輸送計画段階において計画された輸送に要するコストを会計情報に基づいて算出し、交通機関の輸送計画を示すダイヤグラムと共に、算出したコストをユーザーに知覚可能に出力するシステムである。すなわち、ダイヤ作成システム１は、交通機関を運行する企業若しくは団体が有する会計情報に基づいて、当該交通機関の輸送機械の単位移動距離当たりの稼働に要するコスト（すなわち、費用）を算出する。そして、ダイヤ作成システム１は、輸送計画を立案する場合において、当該輸送計画で立案される運用を構成する各運行における移動距離に、算出した単位移動距離当たりに要するコストを乗じることにより、各運行に要するコストを算出する。そして、ダイヤ作成システム１は、運行に要するコスト、運用に要するコスト、輸送計画に要するコスト等を、ダイヤグラムと共に出力する。なお、輸送機械としては、鉄道、地下鉄、路面電車、ケーブルカー、バス、船舶、飛行機、又は乗用自動車等が挙げられる。
【００２０】
例えば、ダイヤ作成システム１は、図１に示すような山ダイヤ形式のダイヤグラム２５１と共に、当該ダイヤグラム２５１に関する情報を、出力画面２５０の表示領域２５２及び表示領域２５３に表示する。一例として、ダイヤ作成システム１は、表示領域２５２に、ユーザー等により選択された一のダイヤグラム２５１の始発地点、終着地点、始発地点から終着地点までの移動距離、及びダイヤグラム２５１で表される交通機関の運用の始発地点から終着地点までに要するコストである金額を表示する。また、ダイヤ作成システム１は、表示領域２５３に、ユーザー等により選択された一のダイヤグラム２５１を構成する一以上の運行それぞれの情報（例えば、発地点、着地点、発時刻、着時刻、発地点から着地点までの距離、発地点から着地点までに要するコストである金額）を表形式で表示する。例えば、列２５３ａには、ダイヤグラム２５１を構成する第１の運行に関する情報が表示され、列２５３ｂには、ダイヤグラム２５１を構成する第１の運行とは異なる第２の運行に関する情報が表示される。
【００２１】
また、ダイヤ作成システム１は、図２に示すような棒ダイヤ形式のダイヤグラム２５６と共に、ダイヤグラムに関する情報を出力画面２５５の表示領域２５７に表示する。例えば、ダイヤ作成システム１は、複数の運用それぞれについて、当該運用を構成する各運行を棒ダイヤで表し、出力画面２５５に表示する。また、ダイヤ作成システム１は、複数の運用それぞれについて、始発地点、終着地点、始発地点から終着地点までの距離などを表示する。また、ダイヤ作成システム１は、表示領域２５７に、「運用１」及び「運用２」等の全ての運用の総距離と、総距離の稼働に要するコストの合計である総額を表示する。
【００２２】
更に、ダイヤ作成システム１は、図３に示すように、複数の運用それぞれに関する情報を帳票形式で出力画面２６０に表示することもできる。例えば、ダイヤ作成システム１は、運用番号に対応づけて、当該運用番号に関する情報（例えば、始発地点から終着地点までの距離、始発地点から終着地点までに要するコストである金額、始発地点、終着地点）を帳票形式で出力画面２６０に表示することができる。なお、ダイヤ作成システム１は、ダイヤグラムと運行に要するコストとを出力画面に共に表示するだけではなく、所定の媒体に出力することもできる。例えば、ダイヤ作成システム１は、ダイヤグラムと運行に要するコストとを被印刷媒体に印刷することもできる。
【００２３】
（ダイヤ作成システム１の詳細）
図４は、本発明の実施の形態に係るダイヤ作成システムの機能構成ブロックの一例を示し、図５は、本発明の実施の形態に係る会計装置の機能構成ブロックの一例を示し、図６は、本発明の実施の形態に係るダイヤグラム作成装置の機能構成ブロックの一例を示す。また、図７は、本発明の実施の形態に係る会計情報格納部のデータ構成の一例を示す。そして、図８は、本発明の実施の形態に係る数量追加部が数量情報を追加した結果の一例を示す。更に、図９は、本発明の実施の形態に係る運行実績格納部のデータ構成の一例を示す。
【００２４】
本実施の形態に係るダイヤ作成システム１は、交通機関の運行に携わる企業若しくは団体の会計情報にデータ処理を施す会計装置１０と、交通機関の輸送計画を表すダイヤグラムを作成するダイヤグラム作成装置２０とを備える。なお、本実施の形態の説明において、会計装置１０とダイヤグラム作成装置２０とを分離して説明するが、会計装置１０は、ダイヤグラム作成装置２０の構成及び機能の一部又は全部を有してもよい。また、ダイヤグラム作成装置２０は、会計装置１０の構成及び機能の一部又は全部を有してもよい。
【００２５】
（会計装置１０）
会計装置１０は、企業若しくは団体の会計情報を格納する会計情報格納部１００と、会計情報格納部１００から輸送機械の輸送運行に関連する科目及び当該科目に対応づけられている会計情報を抽出する抽出部１０５と、輸送運行に関連する科目に当該科目に関連する輸送機械の数量を対応づける数量追加部１１０とを有する。また、会計装置１０は、輸送運行に関連する科目の単位数量当たりの会計情報である単位会計情報を算出する単位会計情報算出部１１５と、単位会計情報算出部１１５が算出した複数の単位会計情報を合算する合算部１２０とを有する。
【００２６】
更に、会計装置１０は、企業若しくは団体が保有する輸送機械の運行実績に関する情報を格納する運行実績格納部１２５と、運行実績格納部１２５に格納されている運行実績から輸送機械の単位数量当たりの単位移動距離を算出する移動距離算出部１３０と、合算部１２０の合算結果と移動距離算出部１３０の算出結果とに基づいて、輸送機械の単位移動距離当たりに要する支出であるコストを算出する支出算出部１４０とを有する。
【００２７】
（会計情報格納部１００）
会計情報格納部１００は、複数の科目（すなわち、会計科目）のそれぞれに対応づけて、複数の科目のそれぞれに対応する会計情報（すなわち、金額を示す金額情報）を格納する。会計情報格納部１００は、会計年度ごとに会計情報を格納することができる。一例として、会計情報格納部１００は、図７に示すように、科目「車両運搬具」に金額「１，０００，０００円」を対応づけて格納し、科目「賃金」に金額「５，０００，０００円」を対応づけて格納する。会計情報格納部１００は、その他の科目についても同様に科目に金額を対応づけて格納する。会計情報格納部１００は、抽出部１０５の働きかけに応じ、抽出部１０５が要求する会計情報を抽出部１０５に供給する。
【００２８】
（抽出部１０５）
抽出部１０５は、会計情報格納部１００から輸送運行に関連する科目と、輸送運行に関連する科目に対応づけられている会計情報とを抽出する。例えば、抽出部１０５は、前年度の輸送運行としての車両運行に関連する科目と、車両運行に関連する科目に対応づけられている金額情報とを会計情報格納部１００から抽出する。抽出部１０５は、抽出した情報を数量追加部１１０に供給する。
【００２９】
（数量追加部１１０）
数量追加部１１０は、輸送運行に関連する科目に当該科目の数量情報を追加して対応づける。数量情報は、例えば、輸送機械の台数である。数量情報は、一例として輸送機械がバスの場合、バスの台数を示す数値である。具体的に、図８に示すように、数量追加部１１０は、科目「車両運搬具」に数量「５」を対応づけ、科目「損害保険料」に数量「１０」を対応づける。より具体的に、一例として、輸送機械としての車両を１０台購入した場合、数量追加部１１０は、車両の購入に関する科目に数量情報として「１０」を対応づける。数量追加部１１０は、他の輸送運行に関連する科目のそれぞれについても同様に数量を対応づける。なお、数量追加部１１０は、例えば、入力装置等を介してユーザーから輸送運行に関連する科目の選択と当該科目の数量情報を受け付ける。数量追加部１１０は、輸送運行に関連する科目に当該科目の数量情報を追加して対応づけた情報を単位会計情報算出部１１５に供給する。
【００３０】
（単位会計情報算出部１１５）
単位会計情報算出部１１５は、輸送運行に関連する科目に対応する会計情報を当該科目に対応づけられた数量情報で除すことにより、輸送運行に関連する科目の単位数量当たりの会計情報である単位会計情報を算出する。すなわち、単位会計情報算出部１１５は、１台の輸送機械が一の輸送運行に関連する科目において単位期間中に支出を要する金額の情報として、単位会計情報を算出する。単位会計情報算出部１１５は、複数の輸送運行に関連する科目のそれぞれに対応づけられている会計情報を、当該複数の輸送運行に関連する科目のそれぞれに対応づけられている数量情報で除すことで、複数の輸送運行に関連する科目のそれぞれについて単位会計情報を算出する。単位会計情報算出部１１５は、算出した単位会計情報を合算部１２０に供給する。
【００３１】
（合算部１２０）
合算部１２０は、単位会計情報算出部１１５が算出した単位会計情報を合算し、単位数量当たりの総費用を算出する。すなわち、合算部１２０は、１台の輸送機械の取得、維持、及び運用等に要する単位期間中の総コストを算出する。合算部１２０は、合算して算出された総費用を示す情報を支出算出部１４０に供給する。
【００３２】
（運行実績格納部１２５）
運行実績格納部１２５は、輸送機械の運用を識別する運用識別子（例えば、運用番号）に対応づけて、輸送機械の移動距離（例えば、年間の移動距離）を格納する。また、運行実績格納部１２５は、運用識別子に対応づけて当該運用識別子で識別される輸送機械の種類を示す情報（例えば、輸送機械が鉄道やバス等の車両である場合、車種を示す情報）を格納することもできる。例えば、図９に示すように、運行実績格納部１２５は、運用番号「１０１」に対応づけて、車種「キハ５８」を示す情報と、当該車種が前年度に走行した総距離である走行距離「２５６４９ｋｍ」を示す情報とを格納する。運行実績格納部１２５は、移動距離算出部１３０の働きかけに応じ、移動距離算出部１３０が要求する情報を移動距離算出部１３０に供給する。車種に替えて又は加えて、輸送機械を一意に識別する識別情報を格納するようにしてもよい。
【００３３】
（移動距離算出部１３０）
移動距離算出部１３０は、運行実績格納部１２５が格納している移動距離の合計から年間若しくは年度間の総移動距離を算出し、総移動距離を運用識別子の総数で除すことにより単位数量あたりの単位移動距離を算出する。すなわち、移動距離算出部１３０は、企業若しくは団体が保有しているバス等の輸送機械１台の年間移動距離の平均値を算出する。移動距離算出部１３０は、算出した単位移動距離を示す情報を支出算出部１４０に供給する。
【００３４】
（支出算出部１４０）
支出算出部１４０は、合算部１２０から受け取った総費用を示す情報を、移動距離算出部１３０から受け取った単位移動距離で除すことにより、単位距離当たりに要する支出を算出する。これにより、支出算出部１４０は、企業若しくは団体が保有しているバス等の輸送機械が単位距離（例えば、１ｋｍ）移動する場合に要する支出を算出する。支出算出部１４０は、算出した単位距離当たりに要する支出を示す情報を予測コスト算出部２１５に供給する。
【００３５】
（ダイヤグラム作成装置２０）
ダイヤグラム作成装置２０は、ダイヤグラムを作成するダイヤグラム作成部２０５と、複数のダイヤグラムを格納するダイヤグラム格納部２１０と、ダイヤグラムで表される一の運行、若しくは複数のダイヤグラムで表される複数の運行のそれぞれに要する年間のコストを算出する予測コスト算出部２１５と、ダイヤグラムと共に予測コスト算出部２１５が算出した結果を出力する出力部２２０とを有する。
【００３６】
（ダイヤグラム作成部２０５）
ダイヤグラム作成部２０５は、輸送機械の運行計画、輸送機械運用計画、又は乗務員運用計画等を示すダイヤグラムを作成する。ダイヤグラム作成部２０５は、例えば、一以上の運行から構成される運用を一以上有するダイヤグラムを作成する。ダイヤグラム作成部２０５は、一例として、運行計画用に山ダイヤ式のダイヤグラム、車両運用計画用に棒ダイヤ形式のダイヤグラムを作成することができる。また、ダイヤグラム作成部２０５は、帳票形式のダイヤグラムを作成することもできる。ダイヤグラム作成部２０５は、作成したダイヤグラムをダイヤグラム格納部２１０に供給する。
【００３７】
（ダイヤグラム格納部２１０）
ダイヤグラム格納部２１０は、ダイヤグラム作成部２０５が作成した一以上のダイヤグラムを格納する。ダイヤグラム格納部２１０は、予測コスト算出部２１５の働きかけに応じ、予測コスト算出部２１５にダイヤグラムを供給する。また、予測コスト算出部２１５は、出力部２２０の働きかけに応じ、ダイヤグラムを出力部２２０に供給する。
【００３８】
（予測コスト算出部２１５）
予測コスト算出部２１５は、輸送機械の運行計画、輸送機械運用計画、又は乗務員運用計画等を示すダイヤグラムにおける輸送機械の運用、又は運用に含まれる一以上の運行ごとに、輸送機械の運用又は一以上の運行において予定される移動距離である走行予定距離に単位距離当たりに要する支出を乗じて算出される予測コストを算出する。すなわち、予測コスト算出部２１５は、ダイヤグラム格納部２１０から選択されたダイヤグラムについて、予測コストを算出する。予測コスト算出部２１５は、一のダイヤグラムが有する一以上の運用のそれぞれ、又は一の運用を構成する一以上の運行のそれぞれについて予測コストを算出する。又は、輸送計画を構成する一以上の運用の総額の予測コストを算出する。
【００３９】
例えば、予測コスト算出部２１５は、入力装置等を介してユーザー等により選択されたダイヤグラムに含まれる一の運用の移動距離（すなわち、当該一の運用の始発地点から終着地点までの距離）をダイヤグラムから抽出する。そして、予測コスト算出部２１５は、抽出した移動距離に単位距離当たりに要する支出を乗じることにより当該移動距離に要する予測コストを算出する。また、予測コスト算出部２１５は、ダイヤグラムに含まれる一の運用を構成する一以上の運行それぞれの移動距離（すなわち、発地点から着地点までの距離）を抽出する。そして、予測コスト算出部２１５は、抽出した一以上の移動距離のそれぞれに単位距離当たりに要する支出を乗じることで、一以上の運行それぞれに要する予測コストを算出する。
【００４０】
更に、予測コスト算出部２１５は、一のダイヤグラムが有する一以上の運用それぞれの移動距離に単位距離当たりに要する支出を乗じることにより、一以上の運用それぞれに要するコストを算出する。そして、予測コスト算出部２１５は、算出した一以上のコストを合算することで一以上の運用の全てをまかなうことに要する総額の予測コストを算出する。予測コスト算出部２１５は、算出した予測コスト及び抽出した移動距離を示す情報を、運用のそれぞれ、若しくは運行のそれぞれに対応づけて出力部２２０に供給する。又は、総額の予測コスト及び総移動距離を出力部２２０に供給する。
【００４１】
（出力部２２０）
出力部２２０は、運用や運行に対応する予測コストを、運用や運行を表すダイヤグラムと共に出力する。出力部２２０は、始発地点の名称、終着地点の名称、始発地点から終着地点までの距離等の情報もダイヤグラムと共に出力する。具体的に、出力部２２０は、予測コスト及びダイヤグラムを表示する表示装置、又は予測コスト及びダイヤグラムを所定の媒体に印刷する印刷装置である。そして、出力部２２０は、一例として、図１から図３において説明したような形式で、予測コストとダイヤグラムとを共に出力する。また、出力部２２０は、外部からの出力指示に応じ、当該出力指示に応じた形式で予測コストをダイヤグラムと共に出力することができる。
【００４２】
（ダイヤ作成システム１の処理の流れ）
図１０は、本発明の実施の形態に係るダイヤ作成システムにおける処理の流れの一例を示す。
【００４３】
まず、抽出部１０５は、会計情報格納部１００から輸送運行に関連する科目、及び当該輸送運行に関連する科目に対応づけられている会計情報を抽出する（ステップ１０。以下、ステップを「Ｓ」と表す。）。抽出部１０５は、抽出した情報を数量追加部１１０に供給する。数量追加部１１０は、抽出部１０５から受け取った複数の輸送運行に関連する科目のそれぞれに数量情報を対応づける（Ｓ１５）。数量追加部１１０は、数量情報を対応づけた情報を単位会計情報算出部１１５に供給する。
【００４４】
単位会計情報算出部１１５は、輸送運行に関連する科目の単位数量当たりの会計情報である単位会計情報を算出する（Ｓ２０）。単位会計情報算出部１１５は、算出した単位会計情報を合算部１２０に供給する。合算部１２０は、単位会計情報算出部１１５から受け取った複数の単位会計情報を合算し、単位数量当たりの総費用を算出する（Ｓ２５）。合算部１２０は、算出した総費用を示す情報を支出算出部１４０に供給する。
【００４５】
一方、移動距離算出部１３０は、運行実績格納部１２５が格納している移動距離の合計から、例えば、会計年度間の総移動距離を算出する。そして、移動距離算出部１３０は、算出した総移動距離と輸送機械の合計台数（すなわち、運用識別子の総数）とに基づいて、輸送機械１台あたりの移動距離（すなわち、単位移動距離）を算出する（Ｓ３０）。移動距離算出部１３０は、算出した単位移動距離を示す情報を支出算出部１４０に供給する。
【００４６】
支出算出部１４０は、合算部１２０から受け取った総費用を示す情報と、移動距離算出部１３０から受け取った単位移動距離を示す情報とに基づいて、単位距離当たりに要する支出を算出する（Ｓ３５）。支出算出部１４０は、算出した単位距離当たりに要する支出を示す情報を予測コスト算出部２１５に供給する。予測コスト算出部２１５は、ダイヤグラム格納部２１０が格納しているダイヤグラム、若しくはダイヤグラム格納部２１０から選択されたダイヤグラムが表す輸送機械の移動距離に、支出算出部１４０から受け取った単位距離当たりに要する支出を乗じることで予測コストを算出する（Ｓ４０）。予測コスト算出部２１５は、算出した予測コストを出力部２２０に供給する。出力部２２０は、予測コストをダイヤグラムと共に出力する（Ｓ４５）。
【００４７】
図１１は、本発明の実施の形態に係るダイヤ作成システムのハードウェア構成の一例を示す。
【００４８】
本実施の形態に係るダイヤ作成システム１は、ＣＰＵ１５００と、グラフィックコントローラ１５２０と、Ｒａｎｄｏｍ  Ａｃｃｅｓｓ  Ｍｅｍｏｒｙ（ＲＡＭ）、Ｒｅａｄ−Ｏｎｌｙ  Ｍｅｍｏｒｙ（ＲＯＭ）及び／又はフラッシュＲＯＭ等のメモリ１５３０と、データを記憶する記憶装置１５４０と、記録媒体からデータを読み込み及び／又は記録媒体にデータを書き込む読込み／書込み装置１５４５と、データを入力する入力装置１５６０と、外部の通信機器とデータを送受信する通信インターフェース１５５０と、ＣＰＵ１５００とグラフィックコントローラ１５２０とメモリ１５３０と記憶装置１５４０と読込み／書込み装置１５４５と入力装置１５６０と通信インターフェース１５５０とを互いに通信可能に接続するチップセット１５１０とを備える。
【００４９】
チップセット１５１０は、メモリ１５３０と、メモリ１５３０にアクセスして所定の処理を実行するＣＰＵ１５００と、外部の表示装置の表示を制御するグラフィックコントローラ１５２０とを相互に接続することにより、各構成要素間のデータの受渡しを実行する。ＣＰＵ１５００は、メモリ１５３０に格納されたプログラムに基づいて動作して、各構成要素を制御する。グラフィックコントローラ１５２０は、メモリ１５３０内に設けられたバッファ上に一時的に蓄えられた画像データに基づいて、画像を所定の表示装置に表示させる。
【００５０】
また、チップセット１５１０は、記憶装置１５４０と、読込み／書込み装置１５４５と、通信インターフェース１５５０とを接続する。記憶装置１５４０は、ダイヤ作成システム１のＣＰＵ１５００が使用するプログラムとデータとを格納する。記憶装置１５４０は、例えば、フラッシュメモリである。読込み／書込み装置１５４５は、プログラム及び／又はデータを記憶している記憶媒体からプログラム及び／又はデータを読み取って、読み取ったプログラム及び／又はデータを記憶装置１５４０に格納する。読込み／書込み装置１５４５は、例えば、通信インターフェース１５５０を介し、インターネット上のサーバから所定のプログラムを取得して、取得したプログラムを記憶装置１５４０に格納する。
【００５１】
通信インターフェース１５５０は、通信ネットワークを介して外部の装置とデータの送受信を実行する。また、通信インターフェース１５５０は、通信ネットワークが不通の場合、通信ネットワークを介さずに外部の装置とデータの送受信を実行することもできる。そして、タブレット、マイク等の入力装置１５６０は、所定のインターフェースを介してチップセット１５１０と接続する。
【００５２】
記憶装置１５４０に格納されるダイヤ作成システム１用のプログラムは、インターネット等の通信ネットワーク、又は磁気記録媒体、光学記録媒体等の記録媒体を介して記憶装置１５４０に提供される。そして、記憶装置１５４０に格納されたダイヤ作成システム１用のプログラムは、ＣＰＵ１５００により実行される。
【００５３】
本実施の形態に係るダイヤ作成システム１により実行されるダイヤ作成システム１用のプログラムは、ＣＰＵ１５００に働きかけて、ダイヤ作成システム１を、図１から図１０にかけて説明した会計情報格納部１００、抽出部１０５、数量追加部１１０、単位会計情報算出部１１５、合算部１２０、運行実績格納部１２５、移動距離算出部１３０、支出算出部１４０、ダイヤグラム作成部２０５、ダイヤグラム格納部２１０、予測コスト算出部２１５、及び出力部２２０として機能させる。
【００５４】
（実施の形態の効果）
本実施の形態に係るダイヤ作成システム１は、所定のダイヤグラムに対応する輸送機械の運行に要する予測コストを会計情報から算出し、当該ダイヤグラムと共にユーザーに知覚可能に出力することができる。これにより、ダイヤ作成システム１は、輸送計画担当者が容易に予測コストを把握することを可能にできるので、企業若しくは団体の最適な投資計画の作成に資することができる。
【００５５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。更に、上記した実施形態の技術的要素は、単独で適用されてもよいし、プログラム部品とハードウェア部品とのような複数の部分に分割されて適用されるようにすることもできる。
【符号の説明】
【００５６】
１  ダイヤ作成システム
１０  会計装置
２０  ダイヤグラム作成装置
１００  会計情報格納部
１０５  抽出部
１１０  数量追加部
１１５  単位会計情報算出部
１２０  合算部
１２５  運行実績格納部
１３０  移動距離算出部
１４０  支出算出部
２０５  ダイヤグラム作成部
２１０  ダイヤグラム格納部
２１５  予測コスト算出部
２２０  出力部
２５０  出力画面
２５１  ダイヤグラム
２５２、２５３  表示領域
２５５  出力画面
２５６  ダイヤグラム
２５７  表示領域
２６０  出力画面
１５００  ＣＰＵ
１５１０  チップセット
１５２０  グラフィックコントローラ
１５３０  メモリ
１５４０  記憶装置
１５４５  読込み／書込み装置
１５５０  通信インターフェース
１５６０  入力装置
【要約】
【課題】運行コストをダイヤグラムと共に出力するダイヤ作成システム、ダイヤ作成方法、及びダイヤ作成システム用プログラムを提供する。
【解決手段】ダイヤ作成システム１は、会計情報格納部１００と、会計情報格納部１００から輸送運行に関連する科目と会計情報とを抽出する抽出部１０５と、輸送運行に関連する科目に当該科目の数量情報を対応づける数量追加部１１０と、単位会計情報を算出する単位会計情報算出部１１５と、単位数量当たりの総費用を算出する合算部１２０と、輸送機械の移動距離を格納する運行実績格納部１２５と、単位数量あたりの単位移動距離を算出する移動距離算出部１３０と、単位距離当たりに要する支出を算出する支出算出部１４０と、予測コストを算出する予測コスト算出部２１５と、予測コストをダイヤグラムと共に出力する出力部２２０とを備える。
【選択図】図１【図１】
0005508581.tif 000002
【図２】
0005508581.tif 000003
【図３】
0005508581.tif 000004
【図４】
0005508581.tif 000005
【図５】
0005508581.tif 000006
【図６】
0005508581.tif 000007
【図７】
0005508581.tif 000008
【図８】
0005508581.tif 000009
【図９】
0005508581.tif 000010
【図１０】
0005508581.tif 000011
【図１１】
0005508581.tif 000012